(57)【要約】【課題】  各種コンクリート造作物の建造に際して用いられる箱抜き空間形成用型枠の設置、取り外しが容易に行われるようにする。【解決手段】  コンクリート造作物２２面に箱抜き空間を形成するために埋設使用される箱抜き空間形成用型枠１であり、形成される前記箱抜き空間の深さ方向に沿って分割される複数個の型枠単体３ａ、３ｂ、３ｃが、互いに側面を当接するように柱状に一体に組み合わされて構成されるもの。【選択図】図１
2020076284.tif 000002
【特許請求の範囲】
【請求項１】
コンクリート造作物面に箱抜き空間を形成するために埋設使用される箱抜き空間形成用型枠であり、  形成される前記箱抜き空間の深さ方向に沿って分割される複数個の型枠単体が、互いに側面を当接するように柱状に一体に組み合わされて構成されることを特徴とする箱抜き空間形成用型枠。
【請求項２】
前記型枠単体が中央型枠単体とその周囲に配置される複数個の周囲型枠単体とから構成される請求項１記載の箱抜き空間形成用型枠。
【請求項３】
前記中央の型枠単体が前記箱抜き空間の奥方に向かうにつれて徐々に細く形成されている請求項１記載の箱抜き空間形成用型枠。
【請求項４】
前記中央の型枠単体と前記周囲の型枠単体の当接面が、互いに同形である請求項２記載の箱抜き空間形成用型枠。
【請求項５】
前記中央の型枠単体が金属製であり、前記周囲の複数個の前記型枠単体が木製である請求項２記載の箱抜き空間形成用型枠。
【発明の詳細な説明】
【技術分野】
【０００１】  この発明は、各種コンクリート造作物の建造に際して用いられる箱抜き空間形成用型枠に関する。
【背景技術】
【０００２】  各種のコンクリート造作物は、上面にアンカーボルト等の取付けのため箱抜き空間を形成する場合がある。従来この箱抜き空間の形成は、例えば、コンクリート造作物を成形する外周型枠内の箱抜き空間を形成する位置に型枠パネルを立設して囲み状態に組み付け、コンクリートを外周型枠内に充填し、固化後に取り外すことで行っている。この従来の方法では、型枠パネルの組み付けに手間がかかるとともに、とくにコンクリート固化後の型枠パネルの取り外しが、コンクリートから引きはがして行うので非常に手間がかかる問題があった。
【発明の概要】
【発明が解決しようとする課題】
【０００３】  この発明は上記の事情に鑑みて行ったもので、箱抜き空間形成用型枠の設置、取り外しが容易に行われるようにすることを目的とする。
【課題を解決するための手段】
【０００４】  この発明は、コンクリート造作物面に箱抜き空間を形成するために埋設使用される箱抜き空間形成用型枠であり、形成される前記箱抜き空間の深さ方向に沿って分割される複数個の型枠単体が、互いに側面を当接するように柱状に組み合わされて構成されることを特徴とする箱抜き空間形成用型枠を提供する。【０００５】  上記構成の箱抜き空間形成用型枠は、複数個の型枠単体が柱状に一体に組み合わされて構成されていることで、その設置が容易に行われるとともに、かつ、型枠単体が分解することで容易に取り外すことができる。【０００６】  さらに、型枠単体が中央型枠単体とその周囲に配置される複数個の周囲型枠単体とから構成されることで、始めに中央型枠単体を取り外すことで周囲型枠単体の取り外しが容易に行われ、その際、中央の型枠単体が箱抜き空間の奥方に向かうにつれて徐々に細く形成されていることでその抜き取りが容易に行われ、さらに、中央の型枠単体と周囲の型枠単体の当接面が互いに同形である構成とされることで、中央の型枠単体が抜き出されて形成された抜き空間側へ周囲の型枠単体の押し込むことで、それらの取り外しが容易に行える。【０００７】  中央の型枠単体が金属製であり、周囲の複数個の前記型枠単体が木製である構成とされることで、箱抜き空間形成用型枠は全体が軽量で、運搬、取り扱いが容易に行われるとともに、安価に構成される。また、中央の型枠単体は金属製とされていることで繰り返し使用が行え、その際、箱抜き空間形成用型枠の平面形状の大小にかかわらず中央において兼用される。くわえて、設置、取り外しの作業の際に最も力がかかる部分となる中央の型枠単体が金属製であることで、その作業が安定して行われる。
【発明の効果】
【０００８】  この発明によれば、箱抜き空間形成用型枠の設置、取り外しが容易に行われるようになる。
【図面の簡単な説明】
【０００９】
【図１】この発明の箱抜き空間形成用型枠の実施形態の斜視図
【図２】この発明の箱抜き空間形成用型枠の実施形態の平面図
【図３】この発明の箱抜き空間形成用型枠の実施形態の側面図
【図４】この発明の箱抜き空間形成用型枠の実施形態の分解斜視図
【図５】この発明の箱抜き空間形成用型枠の固定状態の実施形態の斜視図
【図６】この発明の箱抜き空間形成用型枠の実施形態の使用説明図
【図７】この発明の箱抜き空間形成用型枠の実施形態の使用説明図
【発明の好ましい実施形態】
【００１０】  図１はこの発明の箱抜き空間形成用型枠の斜視図、図２は同平面図、図３は同側面図、図４は同分解斜視図である。箱抜き空間形成用型枠１は、平面形状における辺長さが４１ｃｍの正方形で、その長さを１８０ｃｍとする角柱形態で、縦方向において分割される３種類９個の柱状の型枠単体３ａ、３ｂ、３ｃよりなり、使用に際しては、図５に示すように、上部が一対の鉄製の固定材５により固定され、下部が粘着テープ７により巻回固定されて一体とされる。
【００１１】  中央に位置する型枠単体３ａは鉄製で、上面、下面を正方形とし、上面の一辺寸法を２１ｃｍ、下面の一辺寸法を１１ｃｍとする下部側が細い角錐形態である。平面形状を十字とする縦長の中心材４の４端縁に長手方向に沿って下部側が細くなる台形の当接プレート６のそれぞれが取り付けられている。さらに、中心材４の上面には略正方形の取付け板９が、下面には正方形の底板８が取り付けられ、取付け板９には一対のネジ穴が設けられた吊り下げ部１１が固着されている。
【００１２】  型枠単体３ｂ、３ｃは木製で、内部に補強心材を備え周面が面板で構成される中空構造である。型枠単体３ｂのそれぞれは上面、下面を短辺長さが１０ｃｍとする長方形とし、側面形状を型枠単体３ａに沿った台形とする下部側が細い角錐形態で、４周囲の中央それぞれに配置される。型枠単体３ｃのそれぞれは側面形状を型枠単体３ｂ沿った台形とする上部側が細い角錐形態で、４角に配置される。固定材５のそれぞれは箱抜き空間形成用型枠１の相対する上縁それぞれに当接され、型枠単体３ｂ、３ｃのそれぞれを貫通する４本の固定ボルト１５により互いが連結され、これにより箱抜き空間形成用型枠１を上部において固定している。固定材５のそれぞれは両端位置にネジ穴が設けられた吊り下げ部１９が固着されている。
【００１３】  箱抜き空間形成用型枠１は、中央の型枠単体３ａのみを鉄製としていることで全体が軽量で、運搬、取り扱いが容易に行われるとともに、安価に製造される。とくに、柱状型枠単３ａを他の型枠単体３ｂ、３ｃと同様にブロック形態とすることなく中心材４と当接プレート６を用いて構成したことで、さらに軽量化が図られ、かつ、安価に製造される。周囲の型枠単体３ｂ、３ｃは使用後に密着するコンクリート造作物から外す際に傷が付き、損傷して再使用が行うことが難しいが、中央の型枠単体３ａはその恐れがないことで、鉄製とされることで繰り返し使用可能としている。その際、型枠単体３ａは箱抜き空間形成用型枠１の平面形状の大小にかかわらず中央において兼用されることで便利に使用される。また、後に説明する設置、取り外しの作業の際に最も力がかかる部分が型枠単体３ａであり、この部分が鉄製であることでその作業が安定して行われる。
【００１４】  次に、上記の一体に固定された箱抜き空間形成用型枠１の使用方法を、図６を参照して説明する。２０のそれぞれはコンクリート造作物２２を成形する外周型枠であり、その外周型枠２０内の箱抜き空間形成位置に、取付け板９の吊り下げ部１１が吊り下げボルト２４により支持桟材２６に、固定材５それぞれの吊り下げ部１９が吊り下げボルト２８により支持桟材３０にそれぞれ連結された状態において、クレーンにより全体が吊り下げられて支持桟材３０それぞれの端部が外周型枠２０上に設置固定されることで配置される。箱抜き空間形成用型枠１が配置された状態において、外周型枠２０内にコンクリートが流入され、養生固化されてコンクリート造作物２２が形成される。
【００１５】  以下、箱抜き空間形成用型枠１の取り外し作業を説明する。まず支持桟材２６を支持桟材３０上に固定する２本の固定ボルト２９を外して支持桟材２６を自由状態とし、クレーンにより支持桟材２６を上方に吊り上げる。これにより支持桟材２６に吊り下げボルト２４により固定取付けされた箱抜き空間形成用型枠１の中央の型枠単体３ａが、図７に示すように、上方に抜き出される。抜き出した型枠単体３ａにおいて、吊り下げボルト２４を外して取付け板９から支持桟材２６を離脱させるとともに、固定ボルト２８それぞれを外して支持桟材３０それぞれの外周型枠２０上への設置固定をクレーンにより解除する。次に、コンクリート造作物２２面上において、周囲の型枠単体３ｂの１個を、型枠単体３ａが抜かれたことによって形成された中央の抜き空間４０側に木づちやバールを使用することで押し込んで取り外し、続いて他の３個の型枠単体３ｂを同様にして取り外す。次に４角に位置する型枠単体３ｃを順次取り外すことでコンクリート造作物２２面上に箱抜き空間が形成される。
【００１６】  上記の箱抜き空間形成用型枠１の取り外し作業は、箱抜き空間形成用型枠１が型枠単体３ａ、３ｂ、３ｃに分割されており、それぞれの型枠単体３ａ、３ｂ、３ｃを分解して取り外すことで容易に行われる。とくに、中央型枠単体３ａの上方への抜き出しが下部側を細い角錐形態としていることで容易に行われ、それに続く型枠単体３ｂそれぞれの取り外しがその側面形状を型枠単体３ａに沿った台形としていることで、中央型枠単体３ａが抜き出されて形成された抜き空間４０側へ押し込みが可能で、これによりそれらの取り外しが容易に行える。
【符号の説明】
【００１７】１    箱抜き空間形成用型枠３ａ  型枠単体３ｂ  型枠単体３ｃ  型枠単体２２  コンクリート造作物
【図１】
2020076284.tif 000003
【図２】
2020076284.tif 000004
【図３】
2020076284.tif 000005
【図４】
2020076284.tif 000006
【図５】
2020076284.tif 000007
【図６】
2020076284.tif 000008
【図７】
2020076284.tif 000009